(57)【要約】【課題】蚊取り線香を点火した状態で収納する容器に関し、特に球状をしていて、転動しても酸欠にならず、灰もこぼれない構造を実現する。【解決手段】上側容器の天井部中央にハット状部を形成すると共に、該ハット状部の鍔部外周と連結した垂下状の外筒部を形成し、該外筒部の上端返し壁の下側に通気窓孔を開けてあること、前記のハット状部から垂下させた押さえ手段を、前記の蚊取り線香の支持手段の上端と対向させることによって、間に蚊取り線香を挟むようにして保持する構造となっていることを特徴とする。【選択図】          図５
2006115824.tif 000002
【特許請求の範囲】
【請求項１】
球状ないし達磨状の容器を上下に２分割して上側容器と下側容器を形成してあり、その少なくとも下側容器の内部に蚊取り線香の支持手段を設け、かつ下側容器の底部に復元用の重りを付けてある構造において、
前記の上側容器の天井部中央にハット状部を形成すると共に、該ハット状部の鍔部外周と連結した垂下状の外筒部を形成し、該外筒部の上端返し壁の下側に通気窓孔を開けてあること、
前記のハット状部から垂下させた押さえ手段を、前記の蚊取り線香の支持手段の上端と対向させることによって、間に蚊取り線香を挟むようにして保持する構造となっていること、
を特徴とする蚊取り線香容器。
【請求項２】
前記のハット状部の中央外端に突出部を設けて、反転阻止手段としたことを特徴とする請求項１に記載の蚊取り線香容器。
【請求項３】
断面形状がＬ字状の薄板からなる線香受けの水平部に２本のスリットを開けて、その中に、下側から二股状の２本のテーパ状の指状部を挿入可能とし、水平状態の蚊取り線香を逃げるように、全体的に山状に形成してあることを特徴とする請求項１または請求項２に記載の蚊取り線香容器。
【請求項４】
前記のＬ字状の薄板からなる線香受けの鉛直部に、非金属の不燃性のパッドを取付けて、線香受けの金属部が線香と接しない構造としたことを特徴とする請求項１、請求項２または請求項３に記載の蚊取り線香容器。
【発明の詳細な説明】
【技術分野】
【０００１】本発明は、蚊取り線香を点火した状態で収納する容器に関し、特に球状をしていて、転動しても酸欠にならず、灰もこぼれない構造とした安全な蚊取り線香容器に関する。
【背景技術】
【０００２】本発明の発明者は、特開２００２−１３６２５４号において、図１ないし図４のような蚊取り線香容器を提案した。図１は従来の蚊取り線香容器の外観を示す側面図であり、半球状の下側容器１と半球状の上側容器２とを突き合わせた状態で閉じ、周知の着脱機構２２、２３でロック可能となっている。このように一体にロックすると、図示のように球状となる。【０００３】図２はこの球状の蚊取り線香容器の縦断面図であり、下側容器１の底部中央に、内側に窪んだ凹壁２４を形成し、その中に外側から重り６を挿入してある。２５は蚊取り線香の支持板であり、正面から見ると上向きの二股状部２５ａ、２５ｂを有している。すなわち、実線の２５は、支持板２５の縦断面を示し、鎖線の２５は、支持板２５の正面形状を示している。したがって、実線の支持板２５を左側または右側から見た形状が、鎖線２５のように、上向きの二股状になる。【０００４】この支持板２５の下部をＬ字状に曲げ、凹壁２４の天井部のスリット２４ｓから挿通して、凹壁２４天井部と重り６との間に挟んでビスで固定してある。長い方の指状部２５ａはテーパ状に上端が尖っているので、使用に際して、長い方の指状部２５ａを蚊取り線香中央の支持スリット５ｓに下から挿入すると、図示のように支持スリット５ｓより幅の大きい部分で支持される。【０００５】一方、上側容器２の排煙部１０より外側の内壁面からすり鉢状隔壁２６が垂下しており、その下端に押さえ板２７の一端が固定され、前記の長い方の指状部２５ａの上端を押さえる状態になっている。したがって、蚊取り線香容器が転動したりして、上下位置が反転しても、蚊取り線香５は、容器の直径方向に延びた押さえ板２７の上に載置支持されるので、蚊取り線香５が離脱落下する恐れはない。【０００６】断面形状がＬ字状の金属製薄板からなる線香受け３５の水平部３６に２本のスリットを開けて、その中に、下から二股状の２本のテーパ状の指状部２５ａ、２５ｂを挿入すると、図示のように、線香受け３５を水平に支持できる。この線香受け３５の鉛直部３７の上端３７ｅは、鋸歯状に形成してある。【０００７】したがって、うず巻き状の蚊取り線香５は、その直径方向の線香受け３５の上に載置支持されるので、容器が転動したり、蹴飛ばされたりして乱暴に扱われても、蚊取り線香が折れたり、重みで外側が垂れ下がったりする恐れがない。また、線香受け３５の鉛直部３７の上端３７ｅが鋸歯状になっていて、蚊取り線香との接触面積が小さいので、蚊取り線香が途中で消えるようなことは少ない。【０００８】上側容器２の頂部の排煙部１０には、ハット状部３０を有している。このハット状部３０の内筒部２８下端の鍔部３１の外周と連続する外筒部２９が垂下状に形成されている。そして、外筒部２９の側壁に窓孔３２が開いている。すなわち、蚊取り線香容器内が酸欠にならないように、外部の空気を導入したり、内部の蚊取り線香から発生した煙を排出するためである。図３は、この外筒部２９の位置における水平断面図である。【０００９】前記のすり鉢状隔壁２６は、前記のハット状部３０および垂下状の外筒部２９の下側に位置している。すなわち、すり鉢状隔壁２６の外周端２６ａが、外筒部２９より外側の上側容器内壁から延長した形状になっている。そして、下端中央３３すなわちハット状部３０の下側は開口していて、外気や蚊取り線香の煙が通過可能となっている。【００１０】また、このすり鉢状隔壁２６にも、通気兼排煙用の窓孔２６ｗが開いている。この窓孔２６ｗは、図３から明らかなように、外筒部２９の窓孔３２と重ならないように、窓孔３２が開いていない位置に開けてある。したがって、容器が転動して逆さになっても、窓孔２６ｗを通過した灰は、外筒部２９に阻止されるので、外部に漏れない。また、中央の開口３３を通過した灰は、ハット状部３０に阻止される。【００１１】このような構造となっているため、図示のような通常の状態では、内部の蚊取り線香５から発生した煙は、矢印で示すように、前記のすり鉢状壁２６の中央の開口３３や窓孔２６ｗを上昇し、次いで、垂下状の外筒部２９の窓穴３２を通過して、該外筒部２９の内側から外部に排出される。また、矢印とは逆のルートで、外気が流れ込むため、内部の蚊取り線香５が酸欠で立ち消えするような恐れはない。そして、蚊取り線香５が燃焼して生じた灰は、下側容器１の底部に落下して堆積する。【００１２】いま、この蚊取り線香容器が、蹴飛ばしたりしたために上下反転したとすると、蚊取り線香５は、直径方向の押さえ板２７上に支持されるため、離脱落下するような恐れはない。そして、下側容器１中の灰が、すり鉢状隔壁２６の中央部開口３３や窓孔２６ｗを通過しても、ハット状部３０側に落下するが、重りによる復元力で蚊取り線香容器が図示の元の姿勢に復元するため、ハット状部３０側に落下した灰は、すり鉢状隔壁２６の内面を滑り落ちて、再び開口３３を通過して、下側容器１の底部に落下する。【００１３】また、上下反転時に外筒部２９の外側に落下した灰は、図示状態に復元する際に、すり鉢状隔壁２６の傾斜内面によって開口３３に案内され、ついで下側容器の底部に落下堆積する。したがって、蚊取り線香容器が上下反転したり、転動したりしても、灰が外筒部２９側壁の窓孔３２を通過して外部に漏れ出すような恐れはない。【００１４】なお、図４からも明らかなように、線香受け３５の水平部３６に二股状の指状部２５ａ、２５ｂを挿入して水平に支持してある。そして、通常はこの直径方向の線香受け３５の鋸歯状上端３７ｅ上に蚊取り線香５が載置支持されている。また、容器が上下反転した場合は、直径方向に延びた押さえ板２７の上に載置支持されることになる。
【特許文献１】特開２００２−１３６２５４号
【発明の開示】
【発明が解決しようとする課題】
【００１５】ところが、前記のように、外観が球状をしているため、転動によって完全に上下逆さになる場合もありうる。この場合、上下逆さに移行する際にまたは上下逆さ状態から元に復元する際に、蚊取り線香から発生した灰が直接に蚊取り線香容器内で落下したり、途中で引っ掛かっていた灰が蚊取り線香容器内で落下したりする。このとき、落下の衝撃でまたは空中を落下する際に灰が舞い上がり、次いで窓孔３２を通過して排出される場合が起こり得る。結果的に、灰が外部に漏れ出したことになる。このように、蚊取り線香容器内部で灰から落下するのは、内部に鉢状隔壁２６などの複雑な部分が存在し、灰が引っ掛かりやすいからである。また、別の問題として、線香受け３５の鋸歯状部３７ｅに蚊取り線香が載るとしても、線香受け３５が金属製であるために蚊取り線香の熱が奪われて、環境その他の条件が悪い場合には容易に立ち消えする恐れがある。【００１６】本発明の技術的課題は、このような問題に着目し、常時球状ないし達磨状に閉じた状態となる蚊取り線香容器において、内部で空中を灰が落下することなく、静かに滑って移動でき、しかも構造を簡素化でき、さらに線香受け蚊取り線香が容易に立ち消えするのを防止可能とすることにある。
【課題を解決するための手段】
【００１７】  本発明の技術的課題は次のような手段によって解決される。請求項１は、球状ないし達磨状の容器を上下に２分割して上側容器と下側容器を形成してあり、その少なくとも下側容器の内部に蚊取り線香の支持手段を設け、かつ下側容器の底部に復元用の重りを付けてある構造において、前記の上側容器の天井部中央にハット状部を形成すると共に、該ハット状部の鍔部外周と連結した垂下状の外筒部を形成し、該外筒部の上端返し壁の下側に通気窓孔を開けてあること、前記のハット状部から垂下させた押さえ手段を、前記の蚊取り線香の支持手段の上端と対向させることによって、間に蚊取り線香を挟むようにして保持する構造となっていること、を特徴とする蚊取り線香容器である。【００１８】このように、球状ないし達磨状の容器を上下に２分割して上側容器と下側容器を形成してあり、その少なくとも下側容器の内部に蚊取り線香の支持手段を設け、かつ下側容器の底部に復元用の重りを付けてある蚊取り線香容器において、前記の上側容器の天井部中央にハット状部を形成すると共に、該ハット状部の鍔部外周と連結した垂下状の外筒部を形成し、該外筒部の上端返し壁の下側に通気窓孔を開けてあるため、蚊取り線香容器の内部の蚊取り線香から発生した煙は、前記の通気窓孔から排出される。また、前記の蚊取り線香容器が転倒したりしても、通気窓孔の上側には返し壁がついているため、灰がこの返し壁を越えて排出されることは殆どがあり得ない。【００１９】また、前記のハット状部から垂下させた押さえ手段を、前記の蚊取り線香の支持手段の上端と対向させることによって、間に蚊取り線香を保持する構造となっているため、蚊取り線香容器が転倒したり転動したりしても、内部で蚊取り線香が保持手段から外れて落下するような問題は少ない。【００２０】さらに、蚊取り線香容器の内部には、従来の鉢状隔壁などのような複雑な複雑な構造が存在しないため、安価に製造できるだけでなく、蚊取り線香から発生した灰が引っ掛かったりして、落下するようなことはなく、蚊取り線香容器の転倒や転動に伴って蚊取り線香容器の内壁に沿って摺動移動して低い部分に集まるだけであるから、落下の衝撃で灰が煙状に舞い上がって、通気窓孔から排出されるなどの問題も生じない。【００２１】請求項２は、前記のハット状部の中央外端に突出部を設けて、反転阻止手段としたことを特徴とする請求項１に記載の蚊取り線香容器である。蚊取り線香容器が完全に逆さになった場合は、通気窓孔の上側に返し壁が有っても、灰が溢れだす恐れがあるが、請求項２のように、前記のハット状部の中央外端に突出部を設けて、反転阻止手段としてあるため、蚊取り線香容器が転倒したり転動したりしても、従来のように、上下逆さになるようなことはない。そのため、内部の灰は返し壁から離れた部位に溜まるため、返し壁を越えて排出されることは少ない。しかも、返し壁から離れた部位は、返し壁の付け根部分よりも低くなるため、返し壁を越えて排出される可能性はさらに少なくなる。【００２２】請求項３は、断面形状がＬ字状の薄板からなる線香受けの水平部に２本のスリットを開けて、その中に、下側から二股状の２本のテーパ状の指状部を挿入可能とし、水平状態の蚊取り線香を逃���るように、全体的に山状に形成してあることを特徴とする請求項１または請求項２に記載の蚊取り線香容器である。このように、線香受けを横から見た場合、水平状態の蚊取り線香を逃げるように、全体的に山状に形成してあるため、通常は蚊取り線香の中心部に支持板が挿入されるだけであって、直径方向の線香受けに蚊取り線香が載置されて線香受けに熱が奪われることはない。その結果、火のついた状態の蚊取り線香が立ち消えするような問題はない。【００２３】請求項４は、前記のＬ字状の薄板からなる線香受けの鉛直部に、非金属の不燃性のパッドを取付けて、線香受けの金属部が線香と接しない構造としたことを特徴とする請求項１、請求項２または請求項３に記載の蚊取り線香容器である。このように、前記Ｌ字状の薄板からなる線香受けの鉛直部に、非金属の不燃性のパッドを取付けて、線香受けの金属部が線香と接しない構造としたため、長時間経過したために蚊取り線香が垂れ下がってきても、蚊取り線香は非金属の不燃性パッドの上に接するのみであって、金属製の線香受けの上に接することはないので、蚊取り線香の立ち消えが防止できる。
【発明の効果】
【００２４】  請求項１のように、球状ないし達磨状の容器を上下に２分割して上側容器と下側容器を形成してあり、その少なくとも下側容器の内部に蚊取り線香の支持手段を設け、かつ下側容器の底部に復元用の重りを付けてある蚊取り線香容器において、前記の上側容器の天井部中央にハット状部を形成すると共に、該ハット状部の鍔部外周と連結した垂下状の外筒部を形成し、該外筒部の上端返し壁の下側に通気窓孔を開けてあるため、蚊取り線香容器の内部の蚊取り線香から発生した煙は、前記の通気窓孔から排出される。また、前記の蚊取り線香容器が転倒したりしても、通気窓孔の上側には返し壁がついているため、灰がこの返し壁を越えて排出されることは殆どがあり得ない。【００２５】また、前記のハット状部から垂下させた押さえ手段を、前記の蚊取り線香の支持手段の上端と対向させることによって、間に蚊取り線香を保持する構造となっているため、蚊取り線香容器が転倒したり転動したりしても、内部で蚊取り線香が保持手段から外れて落下するような問題は少ない。【００２６】さらに、蚊取り線香容器の内部には、従来の鉢状隔壁などのような複雑な複雑な構造が存在しないため、安価に製造できるだけでなく、蚊取り線香から発生した灰が引っ掛かったりして、落下するようなことはなく、蚊取り線香容器の転倒や転動に伴って蚊取り線香容器の内壁に沿って摺動移動して低い部分に集まるだけであるから、落下の衝撃で灰が煙状に舞い上がって、通気窓孔から排出されるなどの問題も生じない。【００２７】請求項２のように、前記のハット状部の中央外端に突出部を設けて、反転阻止手段としてあるため、蚊取り線香容器が転倒したり転動したりしても、従来のように、上下逆さになるようなことはない。そのため、内部の灰は返し壁から離れた部位に溜まるため、返し壁を越えて排出されることは少ない。しかも、返し壁から離れた部位は、返し壁の付け根部分よりも低くなるため、返し壁を越えて排出される可能性はさらに少なくなる。【００２８】請求項３のように、線香受けを横から見た場合、水平状態の蚊取り線香を逃げるように、全体的に山状に形成してあるため、通常は蚊取り線香の中心部に支持板が挿入されるだけであって、直径方向の線香受けに蚊取り線香が載置されて線香受けに熱が奪われることはない。その結果、火のついた状態の蚊取り線香が立ち消えするような問題はない。【００２９】請求項４のように、前記Ｌ字状の薄板からなる線香受けの鉛直部に、非金属の不燃性のパッドを取付けて、線香受けの金属部が線香と接しない構造としたため、長時間経過したために蚊取り線香が垂れ下がってきても、蚊取り線香は非金属の不燃性パッドの上に接するのみであって、金属製の線香受けの上に接することはないので、蚊取り線香の立ち消えが防止できる。
【発明を実施するための最良の形態】
【００３０】次に本発明による蚊取り線香容器が実際上どのように具体化されるか実施形態を説明する。図５は本発明による蚊取り線香容器の縦断面図であり、図２と比較すると明らかなように、構造の複雑化の原因となっている鉢状隔壁などは存在しない。したがって、蚊取り線香容器が転倒したり転動したりしても、蚊取り線香５から発生した灰は、蚊取り線香容器の球状の内面を摺動するだけであって、空中を落下するようなことはない。【００３１】支持板２５の二股の指状部２５ａ、２５ｂの上に、ハット状部３０を利用して取付けた押さえ手段３８を有している。この押さえ手段３８は、蚊取り線香容器が転倒したり転動したりした場合に、蚊取り線香５が支持板２５から外れて落下しようとした場合に、反対側から押さえて、外れたり落下するのを防止する働きをする。したがって、この押さえ手段３８の形成やハット状部３０への取付け構成などは任意である。押さえ手段３８の下端面が、長い方の指状部２５ａの上端と対向して近接することによって、間の蚊取り線香５が離脱しない構造であれば足りる。必ずしも互いに圧接している必要はない。【００３２】上側容器２の天井部中央に形成したハット状部３０は内筒部２８を有しており、その下端の鍔部３１の外周が、垂下状の外筒部２９の下端と連続している。そして、外筒部２９の側壁に窓孔３２が開いている。本発明の場合は、通気兼排煙用の窓孔を形成した鉢状隔壁も無いため、通気窓孔３２の位置やサイズなどは任意である。ただし、蚊取り線香容器が転倒したり転動した場合に、上側容器２中の灰が通気窓孔３２から排出されないような高さの返し壁２９ｗを設ける必要がある。例えば４〜６ｍｍ程度の高さで足りる。したがって、この通気窓孔３２から、蚊取り線香容器内が酸欠にならないように、外部の空気を導入される。あるいは、内部の蚊取り線香５から発生した煙が排出される。【００３３】ハット状部３０の中央外端３０ａに突出部３９を設けてある。そのため、図６のように蚊取り線香容器が転倒したり転動したりしても、反転阻止手段とした作用し、その結果、蚊取り線香容器が上下逆さになるようなことは阻止される。したがって、図６のように、蚊取り線香容器の内部の灰ａは、通気窓孔の返し壁２９ｗから離れた位置に滑り降りて来て溜まることになるので、灰ａが返し壁２９ｗを越えて通気窓孔３２から溢れ出すようなことはない。灰ａが返し壁２９ｗを越えて通気窓孔３２から出るには、灰ａが返し壁２９ｗの間近まで移動することが必要であるが、そのためには、突出部３９が存在しないか、来て短い（低い）ことが必要である。通常は、約２ｃｍ以上の高さまで突出しておれば足りる。【００３４】次に、断面形状がＬ字状の薄板からなる線香受け３５は、鎖線で示すように全体的に山状に形成してあり、両端側に比べて中央側が逆Ｖ状に突出している。なお、逆Ｖ状に折れないで、円弧状に湾曲した形状でもよい。このように、両端側が下がった形状になっているので、通常は蚊取り線香５が線香受け３５の鉛直部３７の上端３７ｅに接することはない。したがって、線香受け３５に蚊取り線香の熱が奪われて、立ち消えすることはない。【００３５】蚊取り線香容器の内部の湿度が高かったり、長期間放置したために、蚊取り線香５の中央の指状部２５ａ、２５ｂ以外が垂れ下がった場合のみ、線香受け３５の上に垂れ下がって載置されることになる。ところが、本発明の場合は、鉛直部３７に、石綿などのような、非金属の不燃性のパッド３１Ｐを接着などの手法で取付けてある。したがって、蚊取り線香５が垂れ下がっても、線香受けの金属部と接することはなく、不燃性のパッド３１Ｐと接するので、火の付いた蚊取り線香の熱が奪われて立ち消えすることはない。
【図面の簡単な説明】
【００３６】
【図１】従来の蚊取り線香容器の外観を示す正面図である。
【図２】図１の蚊取り線香容器の縦断面図である。
【図３】図２におけるＡ−Ａ位置の水平断面図である。
【図４】図５の下側容器の平面図である。
【図５】本発明による蚊取り線香容器の実施形態を示す縦断面図である。
【図６】図５の蚊取り線香容器の使用状態を示す縦断面図である。
【符号の説明】
【００３７】１  下側容器
１ａ  小径部
１ｂ  ネジ山
２  上側容器
２ａ  下端
２ｂ  ネジ山
３  ヒンジ部
４  支柱
５  蚊取り線香
６  重り
７  外気取り込み部
８  外筒
９  内筒（外気導入筒）
１０  排煙部
１１  鉛直筒部
１２  すり鉢状部
１３  外筒
１４  中間筒
１５  中心筒
１７、１８  窓孔
１９  通気性パッド
２０、２１  支持用の通気性パッド
２４  凹壁
２５  支持板
２６  すり鉢状壁
２７  押さえ板
２８  内筒部
２９  垂下状の筒部
３０  ハット状部
３１  鍔部
３２  窓孔
３３  中央開口
３５  線香受け
【図１】
2006115824.tif 000003
【図２】
2006115824.tif 000004
【図３】
2006115824.tif 000005
【図４】
2006115824.tif 000006
【図５】
2006115824.tif 000007
【図６】
2006115824.tif 000008